(57)【要約】【課題】  薄型化された電子装置を提供することにあり、また、薄型化された電子装置、電気装置の内部を、冷却することのできる軸流ファンを提供することにある。【解決手段】  発熱体Ｃ１をとともに対向する一対の平坦面Ｃ３、Ｃ４を有する薄型筐体Ｃ内に、軸流ファン１がその平坦面Ｃ３に対して傾斜配置された電子装置である。その軸流ファン１の傾斜方向は排気流がその平坦面Ｃ３によって発熱体Ｃ１側へ流れる方向である。さらに軸流ファン１は回転翼を取り囲むハウジング４によって半径方向外方への空気の流れを抑制する構成であり、そのハウジング４にはその発熱体Ｃ１に面する側においてその抑制の強さが極小となる極小部を有している。【選択図】  図１
2005235946.tif 000002
【特許請求の範囲】
【請求項１】
筐体内に電子部品を収容してなる電子装置であって、
該筐体内部に、
一方の平坦面と、
該一方の平坦面に対向する他方の平坦面と、
該対向する平坦面の間に設置され、回転軸の一端側に向かう送風能力を有する軸流ファンと、
該軸流ファンに隣接する被冷却部品と、
を有し、
前記軸流ファンは、
回転翼と、該回転翼の周囲を囲むハウジングからなり、
軸方向の長さが該ハウジング外径に比べて小さく
前記回転軸は、回転軸の前記一端側が前記被冷却部品に近づくように、前記一方の平坦面の垂線に対して角度を成して設置されるものであり、
前記一方の平坦面と他方の平坦面の間の間隔は、前記ハウジング外径の略半分以下であり、
前記ハウジングは、
回転翼によって生ずる空気が半径方向外方に向かう事を抑制する周壁からなるものであり、かつ、
前記回転翼の中心から見て特定の方向において、前記抑制の強さが極小を示す極小部を有する、
電子装置。
【請求項２】
前記極小部に隣接して、極大部が存在しており、
該極大部は、回転翼によって生ずる空気が半径方向外方に向かうことを強く抑制する様に構成されたものであり、かつ、
前記回転翼の先端は、前記極小部の近傍を通った直後に、前記極大部を通過するように構成されている、
請求項１に記載の電子装置。
【請求項３】
前記一方の平坦面は筐体外部に開口する吸気口を有し、かつ、
前記回転軸の他端側が前記吸気口に面して設置されている、
請求項１又は２に記載の電子装置。
【請求項４】
前記ハウジングにおいて、空気が排出される側の周縁は、前記被冷却部品に対して前記回転軸について略逆側において屈曲部を有し、
該屈曲部においては、前記周縁は、略隙間なく接触する事ができるような一つの平面が存在する形状を有し、
該一つの平面は、
その両面のうち前記ハウジングに面しない側が、前記被冷却部材から離れる方向に傾いており、
前記他方の面と近接、あるいは接している、
請求項１乃至３に記載の電子装置。
【請求項５】
前記ハウジングは、
内径が前記回転翼から前記回転軸の一端側方向に向かって離れるに従って拡大する排気側の拡大部と、
内径が前記回転翼から前記回転軸の他端側方向に向かって離れるに従って拡大する吸気側の拡大部と、からなり、
該排気側の拡大部と該吸気側の拡大部の間に前記回転翼が設置されている、
請求項１乃至４に記載の電子装置。
【請求項６】
前記軸流ファンは、前記一方或は他方の平坦面に沿った空気の流通に抵抗を与える部材によって取り囲まれており、
該軸流ファンと前記被冷却部品との間には前記部材が配置されていない、
請求項１乃至５に記載の電子装置。
【請求項７】
前記囲繞部材は、連続した壁面から構成され、空気の流通を遮断するものである、
請求項６に記載の電子装置。
【請求項８】
前記囲繞部材は、電子部品を含む複数の部材から構成されている、
請求項６に記載の電子装置。
【請求項９】
前記被冷却部品には、ヒートシンクが装着されている、
請求項１乃至８に記載の電子装置。
【請求項１０】
前記電子装置は、前記筐体内部に、予め別部品として製造しておいた前記軸流ファンを、所定の配置で設置して成るものである、
請求項１乃至９に記載の電子装置。
【請求項１１】
回転翼と、該回転翼の周囲を囲むハウジングからなり、
該ハウジングは、
回転翼によって生ずる空気が半径方向外方に向かう事を抑制する周壁からなるものであり、かつ、
前記回転翼の中心から見て特定の方向において、前記抑制の強さが極小を示す極小部を有し、
該極小部は、前記周壁が径方向外方に拡大する部位からなる、
事を特徴とする、軸流ファン。
【請求項１２】
前記極小部に隣接して、極大部が存在しており、
該極大部は、回転翼によって生ずる空気が半径方向外方に向かうことを強く抑制するように構成されたものであり、かつ、
前記回転翼の先端は、前記極小部の近傍を通った直後に、前記極大部を通過するように構成されている、
請求項１１に記載の軸流ファン。
【請求項１３】
前記ハウジングにおいて、排気側の周縁は、前記極小部に対して前記回転軸について略逆側において屈曲部を有し、
該屈曲部においては、前記周縁は、略隙間なく接触する事ができるような一つの平面が存在する形状を有し、
該一つの平面は、その両面のうち前記ハウジングに面しない側が、前記被冷却部材から離れる方向に傾いている、
事を特徴とする、請求項１１又は１２に記載の軸流ファン。
【請求項１４】
前記一つの平面に一致する場所に設置された反射板を有する、
事を特徴とする、請求項１３に記載の軸流ファン。
【請求項１５】
前記ハウジングは、
内径が前記回転翼から前記回転軸の一端側方向に向かって離れるに従って拡大する排気側の拡大部と、
内径が前記回転翼から前記回転軸の他端側方向に向かって離れるに従って拡大する吸気側の拡大部と、からなり、
該排気側の拡大部と該吸気側の拡大部の間に前記回転翼が設置されている、
請求項１１乃至１４に記載の軸流ファン。
【発明の詳細な説明】
【技術分野】
【０００１】
本発明は、内部の電子部品に冷却が必要なＯＡ機器や家電機器等の各種の電子装置、およびこれに備えられる冷却用ファンに関する。特に、ファンハウジング若しくは装置の筐体の上方から吸気し、側面から排気する形式のファンに関する。
【背景技術】
【０００２】
ＯＡ機器や家電機器等の各種の電子装置に発熱量が大きい部品を搭載した構成であったり、或いは装置に発熱部品を含む種々の部品が緻密に組み込まれ内部の隙間が少ない構成であると、装置内部の温度が上昇しての所定の動作に支障を及ぼすことがある。そのために、通常、装置内には、温度上昇を抑えるために冷却用のファンが搭載される。ファンは、発熱源の近傍に配置されたり、又は発熱源に熱的に接続された放熱体と組み合わさって冷却装置を構成したり、さらには装置内部の空気を外部に排出するように装置の筐体に設けられた排気口の近傍に配置される。
【０００３】
このようなＯＡ機器や家電機器等に使用される一般的なファンは、複数の翼が回転軸の軸線方向の一端側から吸引した空気を軸線方向の他端側に排出するように形成された回転翼と、この回転翼を収容し、この回転翼の周囲を取り囲む円筒状の周壁によってこの回転翼が誘起した空気流の流路を形成するハウジングと、を備えている。
【０００４】
近年、上述したＯＡ機器や家電機器等の各種の電子装置は、高機能化かつ薄型化される傾向にあるため、発熱量はさらに大きくなるのにもかかわらず装置の内部空間は狭くなる傾向にある。よって、そこに搭載されるファンは、狭いの筐体内に配置でき、しかも十分な風量を得られることが要求される。
【０００５】
このような要求に対応するために、薄型の遠心ファンが開発されている（特許文献１）。しかし、一般に遠心ファンは静圧は高いものの、風量が少ないため、冷却対象の発熱量が大きい場合には、必ずしも有効ではない。
【０００６】
また、比較的径が大きな軸流ファンを、薄型筐体に斜めにして搭載する方法も考案されている（特許文献２）。特許文献２の例では、排気流がファンの直下にある底面に衝突することによって、被冷却体側へ流れるようにする構成であるため、その衝突時に風損が大きくなり被冷却体に十分な空気を送り込むことができない。
【０００７】
【特許文献１】特開２００３−０２３１２８号公報
【特許文献２】特開平１０−２５７７０９号公報
【発明の開示】
【発明が解決しようとする課題】
【０００８】
本発明の目的は、薄型化された電子装置を提供することにあり、また、薄型化された電子装置、電気装置の内部を、冷却することのできる軸流ファンを提供することにある。
【課題を解決するための手段】
【０００９】
上記の課題を解決する為、本願に記載する請求項１の発明は、筐体内部に、一方の平坦面と、一方の平坦面に対向する他方の平坦面と、対向する平坦面の間に設置され、回転軸の一端側に向かう送風能力を有する軸流ファンと、軸流ファンに隣接する被冷却部品と、を有している。軸流ファンは、回転翼と、回転翼の周囲を囲むハウジングからなり、軸方向の長さがハウジング外径に比べて小さく回転軸は、回転軸の一端側が被冷却部品に近づくように、一方の平坦面の垂線に対して角度を成して設置されるている。一方の平坦面と他方の平坦面の間の間隔は、ハウジング外径の略半分以下であり、ハウジングは、回転翼によって生ずる空気が半径方向外方に向かう事を抑制する周壁からなるものであり、かつ、回転翼の中心から見て特定の方向において、抑制の強さが極小を示す極小部を有する、電子装置を提供する。
【００１０】
上記の課題を解決する為、本願に記載する請求項２の発明は、極小部に隣接して、極大部が存在しており、極大部は、回転翼によって生ずる空気が半径方向外方に向かうことを強く抑制する様に構成されたものである。かつ、回転翼の先端は、極小部の近傍を通った直後に、極大部を通過するように構成されている、電子装置を提供する。
【００１１】
上記の課題を解決する為、本願に記載する請求項３の発明は、一方の平坦面は筐体外部に開口する吸気口を有し、かつ、回転軸の他端側が吸気口に面して設置されている、電子装置を提供する。
【００１２】
上記の課題を解決する為、本願に記載する請求項４の発明は、ハウジングにおいて、空気が排出される側の周縁は、被冷却部品に対して回転軸について略逆側において屈曲部を有し、屈曲部においては、周縁は、略隙間なく接触する事ができるような一つの平面が存在する形状を有している。一つの平面は、その両面のうちハウジングに面しない側が、被冷却部材から離れる方向に傾いており、他方の面と近接、あるいは接している、電子装置を提供する。
【００１３】
上記の課題を解決する為、本願に記載する請求項５の発明は、ハウジングは、内径が回転翼から回転軸の一端側方向に向かって離れるに従って拡大する排気側の拡大部と、内径が回転翼から回転軸の他端側方向に向かって離れるに従って拡大する吸気側の拡大部と、からなり、排気側の拡大部と吸気側の拡大部の間に回転翼が設置されている、軸流ファンは、一方或は他方の平坦面に沿った空気の流通に抵抗を与える部材によって取り囲まれており、軸流ファンと被冷却部品との間には部材が配置されていない、電子装置を提供する。
【００１４】
上記の課題を解決する為、本願に記載する請求項６の発明は、囲繞部材が、連続した壁面から構成され、空気の流通を遮断するものである、電子装置を提供する。
【００１５】
上記の課題を解決する為、本願に記載する請求項７の発明は、囲繞部材が、連続した壁面から構成され、空気の流通を遮断するものである、電子装置を提供する。
【００１６】
上記の課題を解決する為、本願に記載する請求項８の発明は、囲繞部材が、電子部品を含む複数の部材から構成されている、電子装置を提供する。
【００１７】
上記の課題を解決する為、本願に記載する請求項９の発明は、被冷却部品には、ヒートシンクが装着されている、電子装置を提供する。
【００１８】
上記の課題を解決する為、本願に記載する請求項１０の発明は、電子装置が、筐体内部に、予め別部品として製造しておいた軸流ファンを、所定の配置で設置して成るものである、電子装置を提供する。
【００１９】
上記の課題を解決する為、本願に記載する請求項１１の発明は、回転翼と、回転翼の周囲を囲むハウジングからなり、ハウジングは、回転翼によって生ずる空気が半径方向外方に向かう事を抑制する周壁からなるものである。かつ、回転翼の中心から見て特定の方向において、抑制の強さが極小を示す極小部を有し、極小部は、周壁が径方向外方に拡大する部位からなる、軸流ファンを提供する。
【００２０】
上記の課題を解決する為、本願に記載する請求項１２の発明は、極小部に隣接して、極大部が存在しており、極大部は、回転翼によって生ずる空気が半径方向外方に向かうことを強く抑制する様に構成されたものである。かつ、回転翼の先端は、極小部の近傍を通った直後に、極大部を通過するように構成されている、軸流ファンを提供する。
【００２１】
上記の課題を解決する為、本願に記載する請求項１３の発明は、ハウジングにおいて、排気側の周縁は、極小部に対して回転軸について略逆側において屈曲部を有し、屈曲部においては、周縁は、略隙間なく接触する事ができるような一つの平面が存在する形状を有している。一つの平面は、その両面のうちハウジングに面しない側が、被冷却部材から離れる方向に傾いている、軸流ファンを提供する。
【００２２】
上記の課題を解決する為、本願に記載する請求項１４の発明は、一つの平面に一致する場所に設置された反射板を有する、軸流ファンを提供する。
【００２３】
上記の課題を解決する為、本願に記載する請求項１５の発明は、ハウジングは、内径が回転翼から回転軸の一端側方向に向かって離れるに従って拡大する排気側の拡大部と、内径が回転翼から回転軸の他端側方向に向かって離れるに従って拡大する吸気側の拡大部と、からなり、排気側の拡大部と吸気側の拡大部の間に回転翼が設置されている、軸流ファンを提供する。
【発明の効果】
【００２４】
本発明の請求項１の電子装置によれば、薄型筐体中で十分な風量の空気の流れを発生させ、内部の電子部品を冷却する事ができる。
【００２５】
本発明においては、単に高さの低い空間に軸流ファンを被冷却部品に向けて傾けて設置するだけでなく、ハウジングの形状に工夫を加え、部分的に径方向外方へ向けて空気が流れ出易くなる極小部を、被冷却部品に面して設ける。
【００２６】
空間の底面で遮られた軸流ファンの風は、この極小部を通って被冷却部品側に向かう事ができるため、効率的に風を送ることができて、被冷却部品は効率的に冷却される。
【００２７】
請求項２の電子装置では、極小部に隣接して風の流れ出しを遮る極大部を設ける。こうする事で、風を集中させる事ができる。更に、極小部は冷却部品に面した位置にあり、極大部は、そこに隣接する回転翼の回転方向後方に位置する事になるため、回転翼先端が被冷却部品から遠ざかってゆく部分を、被冷却部品に対して覆い隠す事ができる。すなわち、被冷却部品から遠ざかる方向の流れを抑制できるため、静圧が高まって、被冷却部品は効率的に冷却される。
【００２８】
請求項３の電子装置では、筐体に吸気口を設け、そこに軸流ファンの吸気側が近接するように設置されるため、空気の吸入が容易になって、比較的静圧の低い軸流ファンであっても、十分な風量を得られる。
【００２９】
請求項４の電子装置では、軸流ファンのハウジングの内、電子装置内部の平坦面に近接する側を、斜めにカットした様な形状となっているため、同じ高さの空間に、より大きな径の軸流ファンを設置する事が可能になり、風量を増やし、電子装置内の部品をより一層強く冷却できる。
【００３０】
請求項５の電子装置では、軸流ファンのハウジングの吸気側と排気側に拡大部を設ける事で、吸気と排気の抵抗が減少し風量が増加する。これら抵抗の減少は、本発明の構成の様に空気の流通抵抗が高まり易い条件では、特に有用である。
【００３１】
請求項６の電子装置では、ハウジングによっても十分に抑制できない風の漏れを減少させられるため、更に、被冷却部材の冷却が更に効率的になる。
【００３２】
請求項７の電子装置では、軸流ファンの周囲を風を通さない壁面で覆うことによって吸気方向を開口部のみに限定できる。主として、筐体外の空気のみを被冷却体に送風する事が可能になる。
【００３３】
請求項８の電子装置では、電子部品で軸流ファンを取り囲んだ形状とする事で、軸流ファンに向かって周囲から吸い込まれてゆく空気の流れによって、これら電子部品を、排気側にある電子部品と同時に冷却する事が出来る。
【００３４】
請求項９の電子装置では、被冷却部品にヒートシンクを装着することにより、より効率的に被冷却部品を冷却する事が出来る。
【００３５】
請求項１０の電子装置では、ハウジングと一体になった軸流ファンを別途用意しておき、それを、外面に吸気口を有する筐体の内部に取り付ける。こうする事で、本発明の電子装置をより効率的に組み立てる事ができる。
【００３６】
請求項１１の軸流ファンによれば、排気側の拡大部が、更に幅方向にも拡大した部位を有している。この軸流ファンを別途製造しておき、筐体に取り付ける事で、本発明の電子装置を効率的に組み立てられるだけでなく、被冷却部品が効率的に冷却されるようになる。
【００３７】
請求項１２の軸流ファンによれば、排気方向を集中できるだけ出なく、回転翼先端が排気方向から遠ざかってゆく部分を、覆い隠す事ができるため静圧が高まる。
【００３８】
請求項１３の軸流ファンによれば、平坦面上に設置する際に必要な高さを、より低く抑える事が可能になる。
【００３９】
請求項１４の軸流ファンによれば、軸流ファンでありながら、吸入した空気の流れを略９０度偏向して送風する事のできるファンを得る事ができる。
【００４０】
請求項１５の軸流ファンによれば、吸気と排気の抵抗が減少し風量が増加する。
【発明を実施するための最良の形態】
【００４１】
本発明の電子装置及び軸流ファンの一実施形態について図面を参照しながら説明する。  図１は、軸流ファン１がノート型パソコンに搭載された状態の要部を示す横断面図であり、図２は図１を軸流ファン１の吸気口側からみた平面図である。図３は、図１の軸流ファンを示す吸気口側からみた斜視図であり、図４は図１の軸流ファンの排気口側からみた斜視図である。図５は、図１を軸流ファンの排気口側からみた平面図であり、図６は図５の矢印Ａからみた側面図を示す。
【００４２】
この軸流ファン１は、図１、２に示すようにノート型パソコンの筐体Ｃ内に、筐体Ｃの底面の垂線Ｐに対して角度をなして傾斜配置され、軸流ファン１は横方向に発熱体Ｃ１と熱的に接続されたヒートシンクＣ２と並置されている。軸流ファン１の傾斜方向は、回転軸の一端側がヒートシンクＣ２に近づく方向である。筐体Ｃは、一対の平坦面Ｃ３、Ｃ４を備え、軸流ファン１の回転軸の一端側に平坦面Ｃ３が位置し、その他端側に平坦面Ｃ４が位置する。平坦面Ｃ４には軸流ファン１の回転軸の他端側に吸気口Ｃ５を備えている。この筐体Ｃ内は小型・薄型化されて筐体Ｃ内に各種の電子部品Ｃ６等が密に配置されているため、軸流ファン１は各種の電子部品Ｃ６によって取り囲まれ、横方向の空気の流通は抵抗が大きい空間に配置されているが、上方の吸気口Ｃ５とそれぞれ横方向の空間を合わせることで所定量の空気を吸気できる構成となっている。一対の平坦面Ｃ３、Ｃ４の間隔Ｈ１は軸流ファン１の外径Ｒの略半分以下であるため、この軸流ファン１が薄型化されたケーシンク空間に配置されることがわかる。平坦面Ｃ３、Ｃ４は、金属製または樹脂製の板状部材にて筐体Ｃを構成する場合に限らず、筐体Ｃ内に搭載される回路基板を利用して形成されていてもよい。
【００４３】
軸流ファン１の詳細構造は、図３、４に示すように内部に電動モータを備えた回転翼２と、この回転翼２を支持するハウジング４からなる。回転翼２は、複数の翼が設けられ、電動モータの回転軸の他端側から吸引した空気を一端側に向かって排出する送風能力を有する。
【００４４】
ハウジング４は、図６に示すように軸方向長さＨ２が外径Ｒに比べて小さいことから扁平な形状となっている。ハウジング４は、その回転翼２の周囲を取り囲む円筒状の周壁４１を有し、その回転翼２によって誘起された空気流が、この周壁内の他端側の開口から一端側の開口を流れる（つまり、周壁４１は空気が半径方向外方に向かって散逸することを抑制する。）。したがって周壁４１は、その他端側の開口が吸気口４２であり一端側が排気口４３として機能する。この吸気口４２側には、電動モータを支持する円形部４４が周壁４１の周方向の三カ所に連結された三本のリブ４５a、４５ｂ、４５ｃによって支持されている。電動モータからのリード線（図示略）は、後述するテーパ面４３ａに設けられた鉤溝４９に収容保持して外部に引き出される。
【００４５】
周壁４１には、図３に示すように吸気口４２側の端部の内径がその他端側方向に向かって離れるに従って拡大する吸気側のテーパ面４２ａ（吸気側の拡大部に相当）として形成されているが、その途中の対向する二箇所に平坦壁４１ａ、４１ｂが形成されている。平坦壁４１ａの両端でテーパ面４２ａの外周側には、当該軸流ファン１を筐体Ｃに取り付けるための一対の取付部４７が設けられている。
【００４６】
周壁４１の排気口４３側の端部の内径も、図４に示すように、その一端側方向に向かって離れるに従って拡大する排気側のテーパ面４３ａ（排気側の拡大部に相当）として形成されているが、テーパ面４３ａの勾配は周方向に沿って異なる。しかもこのテーパ面４３ａの一部に上記平坦壁４１ａ、４１ｂに対応する部位に同様の平坦壁４１ａ、４１ｂが形成されている。このテーパ面４３ａは、図４、５に示すように、平坦壁４１ａの両端の勾配が最大で、この両端から平坦壁４１bに向かって次第に勾配が小さくなり平坦壁４１ｂの中心で最小となっている。つまり、テーパ面４３ａには、図５にて回転軸を通る左右方向の直線Ｌで分割される下半分のテーパ面４３ａの両端の部位からなだらかな面で平坦壁４１ｂの上部中心で最も深くなる凹部４１ｃが形成される。よって、そのテーパ面４３ａの勾配が最小となる凹部４１ｃ内で空気が半径方向外方に向かうことの抑制の強さが極小となり（つまり凹部４１ｃが極小部に相当）、この付近を中心に半径方向外方の空気流が流れやすくなっている。反対に、テーパ面４３ａの平坦壁４１ａ及びこの両端付近は勾配がきついことからその抑制の強さが極大となる。なお、平坦壁４１ｂの両端でテーパ面４３ａの縁部に一対の取付部４８が設けられている。
【００４７】
また、ハウジング４は、排気口４３側の周壁４１、リブ４５ｃ、円形部４４において回転軸の略逆側に、垂線Ｐに対して回転軸が角度をもつように平坦面Ｃ３に当接する屈曲部を４３ｂが形成されている。これにより、軸流ファン１は、平坦面Ｃ３に対して傾斜配置されるとともに、排気口４３の一部（屈曲部４３ｂ付近）が平坦面Ｃ３にて閉塞される。
【００４８】
軸流ファン１は、図３、４の矢印Ｙ１の方向に回転翼２が回転すると、吸気口４２から軸方向に空気を吸引し排気口４３から軸方向に排出するが、周壁４１付近の空気はテーパ面４３ａに沿って回転方向速度成分と軸方向速度成分とを合成した、渦状の流れを回転軸の周りに形成しながら回転軸の一端側方向へ向かって流れる。そして、この排気流は平坦面Ｃ３に斜め方向から衝突してヒートシンクＣ２側へ偏向して流れる。
【００４９】
このとき、排気口４３の図５の左側を流れる空気流は、その流れ方向に沿ってテーパ面４３ａの勾配が緩くなるため、半径方向外方の空気流の抑制の強さが次第に弱まって半径方向外方にも排出される。特にその抑制の強さは凹部４１ｃ内で極小となるため、この領域において半径方向外方へ空気が流れやすくなっている。反対に、排出口４３の図５の右側を流れる空気流は、その流れ方向に沿ってテーパ面４３ａの勾配がきつくなるためその抑制の強さが極大となって軸方向寄りに流れる（軸方向の空気流は平坦面Ｃ３によって）。また、排気口４３は、一部が平坦面Ｃ３にて閉塞される構成であるため、この閉塞側が開放側に比べて内圧が高まり、この内圧差によってもヒートシンクＣ２側への流れを助長する。このように、軸流ファン１は、軸方向だけでなく特定範囲の半径方向にも空気を排出する構成であるため、排気流が平坦面Ｃ３によってヒートシンクＣ２側へ偏向する際に風損が少なく円滑に流れる。
【００５０】
したがって、軸流ファンで被冷却体が並置される場合（吸気方向に対して略直角の方向に被冷却体が位置する関係）であっても、軸流ファン１では、図１、２、５に示すように、上記ヒートシンクＣ２に凹部４１ｃが面するようにハウジング４を配置することにより、排気流が被冷却体側へ円滑に流れるため、被冷却体を効率良く冷却することができる。また、吸排気は、軸流ファン１を取り囲む電子部品Ｃ６の側から供給されるため、この領域にも空気流が生じ電子部品Ｃ６も冷却される。
【００５１】
また、半径方向の排出口となる凹部４１ｃがテーパ面４３ａによってなだらかな曲面で形成されているので、半径方向外方への流れの抑制が次第に緩和されることから、風損が少なく空気を円滑に凹部４１ｃから外部へ流すことができ、騒音の発生が少ない。
【００５２】
また、リブ４５ａが凹部４１ａの図５、６の左寄りに連設されていることにより、凹部４１ａからの排気流を整流することができる。排気流は凹部４１ａの左側が回転方向に沿ってそのまま排出されるため風量が多いが、反対に凹部４１ａの右側は回転方向に逆らって排出される関係となるため、左側よりも風量は少ない。このような風量にムラが生じると効率的な冷却ができないことがあるが、本例のように風量の多い部位にリブ４５ａを位置付けることにより、リブ４５ａが整流作用をなしてそのムラを緩和する働きがある。なお、排気流のムラが送風や冷却において支障がない場合は、リブ４５ａを任意の位置に設けてもよい。
【００５３】
また、軸流ファン１の排気流のうち、軸方向に流れる空気は、本例では、筐体Ｃの平坦面Ｃ３に角度をもって衝突するためにヒートシンクＣ２側へ空気流が流れ、ヒートシンクＣ２の冷却に寄与するが、筐体Ｃの構造上、図１の平坦面Ｃ３が排気口４３の直下にない場合は、専用の平坦板を設置したり、或いは図７に示すように排気口４３を一部閉塞するようにハウジング４に反射板５０を設けるようにしてもよい。
【００５４】
ところで、軸流ファン１は、ハウジング４の平坦壁４１ｂの吸気口４１側の端面およびこれに連続する周壁４１の端面ならびにリブ４５ｃ（屈曲部に相当）を、図１に示すように、筐体Ｃの平坦面Ｃ３と平行になるように回転翼２が干渉しない範囲でカットしたような形状とすることにより、薄型化された筐体Ｃであっても、より外径サイズの大きい軸流ファン１を使用したり、或いは軸流ファン１の外径サイズを変更することなく、より筐体Ｃを薄型化することができる。同様に、平坦壁４１ａの排気口４３側の端面およびこれに連続する周壁４１の端面においても、図１に示すように、筐体Ｃの平坦面Ｃ４と平行になるようにカットしたような形状とすることによっても、薄型化された筐体Ｃにおいて同様の効果が得られる。
【００５５】
また、図８に示す軸流ファン１’のように、ハウジング４’を軸流ファン１の吸排気の関係は同様で、吸排気口の周縁を水平な設置面に対して平行に設置できるような形状とし、回転翼２’が設置面の垂線Ｐに対して角度をもつように構成してもよい。。この軸流ファン１’は図１のような平坦面Ｃ３、４の何れにも平行に取り付けできるために、図１の構成を容易に実現することができる。この場合、軸流ファン１’のハウジング４’は、上記ハウジング４を変形させて単一部材にて構成したり、上記ハウジング４に別部品として構成することができる。
【００５６】
また、被冷却体が軸流ファン１の外径サイズより小さい場合、軸流ファン１の半径方向外方に排気流によって集中的に冷却したい場合、静圧をより高く設定したい場合などでは、図５に示すリブ４５ａの右側に位置するテーパ面４３ａの勾配をきつくしたり、平坦壁４１ｂを延在させて、この部位における半径方向外方への空気流の抑制の強さを大きくして、極小部に隣接して極大部を配置する構成とすることにより、リブ４５ａの左側に空気流が集約される構成とするとよい。さらに、同様の構成は、図９に示すように、排気側のテーパ面４３ａを、勾配が最大となる部位（極大部）を始点として、回転方向に次第に勾配が緩くなり勾配が最小となる部位（極小部）を終点となるスクロール形状として構成することでも実現できる。
【００５７】
さらに、本例で平坦壁４１ａ、４１ｂは吸排気口４２、４３の両方に形成されているが、何れか一方のみや全く設けないようにして、テーパ面４２ａ、４３ａを連続して形成するようにしてもよい。
【００５８】
以上、本発明の一実施形態について説明したが、本発明の範囲はこれに限定されるものではなく、その趣旨を逸脱しない範囲において変更可能である。
【図面の簡単な説明】
【００５９】
【図１】本発明の電子装置および軸流ファンの一実施形態を示す横断面図。
【図２】図１を、軸流ファンの吸気口側からみた平面図。
【図３】図１の軸流ファンを吸気口側からみた斜視図。
【図４】図１の軸流ファンを排気口側からみた斜視図。
【図５】図１の要部を、軸流ファンの排気口側からみた平面図。
【図６】図１の軸流ファンを側面からみた側面図。
【図７】本発明の軸流ファンの変形例を示す平面図。
【図８】本発明の軸流ファンの別の変形例を示す断面図。
【図９】本発明の軸流ファンの別の変形例を示す平面図。
【符号の説明】
【００６０】
１、１’  軸流ファン
２  回転翼
４、４’  ハウジング
４１  周壁
４２  吸気口
４３  排気口
４２ａ、４３ａ  テーパ面
Ｃ  筐体
Ｃ１  発熱体
Ｃ２  ヒートシンク
Ｃ３、Ｃ４  平坦面
Ｃ５  吸気口
【図１】
2005235946.tif 000003
【図２】
2005235946.tif 000004
【図３】
2005235946.tif 000005
【図４】
2005235946.tif 000006
【図５】
2005235946.tif 000007
【図６】
2005235946.tif 000008
【図７】
2005235946.tif 000009
【図８】
2005235946.tif 000010
【図９】
2005235946.tif 000011